(57)【要約】【課  題】握り部と、該握り部と直交する軸部よりなってＴ字形をなし、軸部をグレーチングを構成する主部材間の取付板に形成される径大の嵌挿孔に差込み、軸端にナットを軸着したグレーチングの取手において、Ｔ字形の取手と互換性があり、グレーチング本体に既存のＴ字形の取手に換えて取付けることができる回転不可の取手を提供する。【解決手段】、Ｔ字形をなす取手の握り部１の両端に握り部１や軸部２と同じ断面形状の丸棒よりなる差込み部１２を軸部２と平行に、かつ軸部２より短か目に一体形成し、主部材４間に差し込む。【選択図】  図３
2004293234.tif 000002
【特許請求の範囲】
【請求項１】
握り部と、該握り部と直交する軸部よりなってＴ字形をなし、軸部をグレーチングを構成する主部材間の取付板に形成される径大の嵌挿孔に差込み、軸端にナットを取着したグレーチングの取手において、Ｔ字形をなす取手における握り部の少なくとも一側に軸部と平行をなして取手を持ち上げたときも主部材間に差し込まれる差込み部を一体形成したことを特徴とする取手。
【請求項２】
握り部と、該握り部と直交する軸部よりなってＴ字形をなし、軸部をグレーチングを構成する主部材間の取付板に形成される径大の嵌挿孔に差込み、軸端にナットを取着したグレーチングの取手において、上記Ｔ字形の取手に対し、握り部の少なくとも一側に軸部と平行をなして取手を持ち上げたときも主部材間に差込まれる差込み部を固着、例えば溶接にて固着したことを特徴とする取手。
【発明の詳細な説明】
【０００１】
【発明が属する技術分野】
本発明は、側溝等に取付けられるグレーチングを開閉するためグレーチングに取付けられる取手に関する。
【０００２】
【従来技術】
この種の取手として図１及び図２に示すように、握り部１と、該握り部１と直交する軸部２よりなってＴ字形をなし、軸部２をグレーチング３を構成する主部材４間の取付板５に形成される径大の嵌挿孔６に差込み、軸端にナット７を軸着したものが知られる。
【０００３】
こうした取手を用いてグレーチングを開閉する際には、図２に示す取手の握り部１を掴んで引上げ（図１）、ナット７を取付板５に当てた状態でグレーチングを持ち上げる一方、使用しないときには掴んだ握り部１を下げて取付板５上に置き、主部材間に納めて握り部１が歩行時に躓いたりして歩行の障害とならないようにしている（図２）。
取手には、図１及び図２に示すようなＴ字形をなすものゝほか、以下の特許文献１や特許文献２に開示されるようなＵ字形をなすものが知られる。
【特許文献１】特開２０００−２８２５５９号
【特許文献２】特開２００１−１１５５３９号
【０００４】
【発明が解決しようとする課題】
上述するＴ字形の取手は、下ろしたとき主部材間に納まり、自然には主部材間上に乗り掛かるようなことはないが、回転できるため、人為的に乗り掛かるようにしようとすれば、乗り掛かるようにすることができた。この点Ｕ字形の取手は回転できないため、取手を降ろしたときには、主部材間に納まり、主部材間上に跨がるように置こうとしても置くことはできないが、Ｔ字形の取手とＵ字形の取手は互換性がないため、Ｔ字形の取手をＵ字形の取手に変更しようとすると、グレーチング本体そのものを取り換えねばならなかった。
【０００５】
本発明は、Ｔ字形の取手と互換性があり、グレーチングに既存のＴ字形の取手に換えて取り付けけることができる回転不可の取手を提供することを第１の目的とし、グレーチングに取付けられる既存のＴ字形の取手を回転不可にすることを第２の目的とする。
【０００６】
【課題の解決手段】
請求項１に係わる発明は、第１の目的を達成する取手に関するもので、握り部と、該握り部と直交する軸部よりなってＴ字形をなし、軸部をグレーチングを構成する主部材間の取付板に形成される径大の嵌挿孔に差込み、軸端にナットを取着したグレーチングの取手において、Ｔ字形をなす取手における握り部の少なくとも一側に軸部と平行をなして取手を持ち上げたときも主部材間に差し込まれる差込み部を一体形成したことを特徴とするものである。
本発明に係わる回転不可の取手は、既存のＴ字形の取手と互換性があるため、グレーチング本体を取り換えなくてもＴ字形の取手に換えて取付けることができる。
【０００７】
請求項２に係わる発明は、握り部と、該握り部と直交する軸部よりなってＴ字形をなし、軸部をグレーチングを構成する主部材間の取付板に形成される径大の嵌挿孔に差込み、軸端にナットを取着したグレーチングの取手において、上記Ｔ字形の取手に対し、握り部の少なくとも一側に軸部と平行をなして取手を持ち上げたときも主部材間に差込まれる差込み部を固着、例えば溶接にて固着したことを特徴とする。
本発明においても、グレーチングを取り換えることなく、該グレーチングに取付けられるＴ字形の取手が回転不可の取手にされる。
【０００８】
上記各発明の差込み部は、握り部や軸部と異なった断面形状、例えば細板状や角棒状をなしていてもよいが、好ましくは握り部や軸部と同じ断面形状、例えば丸棒状に形成される。
【０００９】
【発明の実施の形態】
以下、本発明の実施形態を図３及び図４に基づいて説明する。なお、図３及び図４において、図１及び図２と同一構造のものは、同一符号で示してある。
図３及び図４に示す取手１１は、図１及び図２に示すＴ字形の取手に換えてグレーチングに取付けられるもので、Ｔ字形の取手の握り部１の両端に握り部１や軸部２と同じ断面形状の丸棒よりなる差込み部１２を軸部２と平行に一体形成し、主部材４間に差し込んでなるもので、その長さは取手１１を持ち上げたときでも主部材間より離脱しない程度に短めに形成されている。
グレーチング３に取付けられる既存のＴ字形の取手と取換えるときには、軸端のナット７を外してＴ字形の取手をグレーチング３より取り外したのち、図３及び図４に示すように、取手１１の軸部２を取付板５の嵌挿孔６に差込み部１２を取付板両側の主部材間に差込み、軸端にナット７を取付けて行う。
【００１０】
上記実施形態では、差込み部１２は握り部１と一体形成されているが、別の実施形態では、図１及び図２に示す従来のグレーチングに取付けられる既存の取手の握り部１に溶接にて取付けられ、更に別の実施形態では、差込み部１２が握り部１の片側にのみ設けられる。
【００１１】
【発明の効果】
請求項１に係わる発明の取手によると、回転不可で、主部材間に跨がるように人為的に置こうとしても置くことはできず、そのため、グレーチング上に突出して歩行の障害となることがない。また、Ｔ字形をなす既存の取手と互換性があるため、グレーチング本体を取換えなくても、ナットを取外したり取付けるだけで本発明に係わる取手と容易に取り換えることができる。
請求項２に係わる発明によると、既存のＴ字形の取手に対しても握り部に差込み部を固着することにより回転不可にすることができ、主部材間に跨がるように人為的に置こうとしても置くことはできず、グレーチング上に突出して歩行の障害となることがない。
【図面の簡単な説明】
【図１】グレーチングに取付けられる従来の取手の斜視図。
【図２】図１のＡ−Ａ線断面図。
【図３】グレーチングに取付けられる本発明に係わる取手の斜視図。
【図４】図３のＢ−Ｂ線断面図。
【符号の説明】
１・・握り部
２・・軸部
３・・グレーチング
４・・主部材
５・・取付板
６・・嵌挿孔
７・・ナット
１１・・取手
１２・・差込み部
【図１】
2004293234.tif 000003
【図２】
2004293234.tif 000004
【図３】
2004293234.tif 000005
【図４】
2004293234.tif 000006